(57)【要約】【課題】  複雑な計算式を用いることなく、容易かつ素早く所要年月日の月齢を計算することができるようにする。【解決手段】  主尺体１に対して副尺体２がスライドあるいは回転可能に取り付けられ、主尺体と副尺体のいずれか一方に、月齢を調べようとする日の西暦年のメトン周期太陽年に基づく年次パターン用の目盛７を付し、他方に、月齢を調べようとする日の月と日の数の合計値の目盛６を付し、かつ、主尺体と副尺体のいずれか一方に、月齢を示す目盛１０を付し、他方に、月齢の目盛を指す指示部９を設け、主尺体に対して副尺体をスライドあるいは回転させて前記年次パターン用の目盛と月日の数の合計値の目盛とを合わせると、前記指示部が該当する年月日の月齢の目盛を指すように構成した。【選択図】  図１
2005190209.tif 000002
【特許請求の範囲】
【請求項１】
主尺体に対して副尺体がスライドあるいは回転可能に取り付けられ、主尺体と副尺体のいずれか一方に、月齢を調べようとする日の西暦年のメトン周期太陽年に基づく年次パターン用の目盛を付し、他方に、月齢を調べようとする日の月と日の数の合計値の目盛を付し、かつ、主尺体と副尺体のいずれか一方に、月齢を示す目盛を付し、他方に、月齢の目盛を指す指示部を設け、主尺体に対して副尺体をスライドあるいは回転させて前記年次パターン用の目盛と月日の数の合計値の目盛とを合わせると、前記指示部が該当する年月日の月齢の目盛を指すように構成してなる月齢計算器。
【請求項２】
前記主尺体または副尺体の余白部分に、前記年次パターンの早見表を表示してなる請求項１に記載の月齢計算器。
【請求項３】
前記主尺体または副尺体の余白部分に、月齢に対応する月の満ち欠けの状態を示す図を表示してなる請求項１に記載の月齢計算器。
【発明の詳細な説明】
【技術分野】
【０００１】
本発明は、天文の知識がなくても任意の年月日の月齢を容易に調べることができる月齢計算器に関する。
【背景技術】
【０００２】
現在用いられている暦は太陽暦であるので、月齢を調べるためには太陽暦に基づく年月日から複雑な計算式に基づいて月齢を調べる必要がある（非特許文献１参照）。
【０００３】
月齢は、夜間の月の光による明るさに関係するため、天体の観測や釣りを行なうひとにとっては重大な関心事となるのであるが、上記のように太陽暦の年月日から月齢を調べるのは容易ではなく、一般的には月齢が予め表示されたカレンダーを見たり、新聞等のメディアに掲載される月齢記事を見たりして確認している。
なお、時計に月の満ち欠けの状態を表示する機能のついたものもあるが、このような時計は上述した計算を機械的にあるいは電子計算機能を用いて行なっているのである。
【０００４】
また古来、月の満ち欠けはひとの運命に重大な関連性があるという思想に基づく月占いというものがあり、一般的には占ってもらうひとの生年月日における月齢に基づいて、そのひとの運勢を占うことができるようになっている。
しかしながら従来は、生年月日における月齢を調べるには上述した複雑な計算式を用いるか、前述のような月齢が表示されたカレンダーを使用するしかなく、例えば月占いに関する書籍にこのようなカレンダーを掲載する場合、月相と季節との関係が同一にかえる周期であるメトン周期の太陽年である１９年分のカレンダーを掲載しなければならず、その掲載に必要な頁数は通常サイズの書籍では４０〜５０頁程度、ムック誌等の大判サイズの書籍でも２０頁程度を要し、印刷や校正に手間やコストが嵩むという問題がある。
【０００５】
さらに、月の満ち欠けという現象は小学生用の理科の教科書にも取り上げられる極めて基本的な自然現象であり、月齢の計算を簡単に行なうことができれば月の満ち欠けの観察における教育効果の向上を期すことができるのであるが、現状ではとても小学生が上述した計算式から月齢を求めることなど期待できない。
【非特許文献１】恒星社厚生閣発行、暦計算研究会編  「新こよみ便利帳  天文現象・暦計算のすべて」（第７０〜７１頁）
【発明の開示】
【発明が解決しようとする課題】
【０００６】
本発明の目的とするところは、複雑な計算式を用いることなく、容易かつ素早く所要年月日の月齢を計算することができるようにすることにある。
【課題を解決するための手段】
【０００７】
上記目的を達成するために、本発明の月齢計算器は、主尺体に対して副尺体がスライドあるいは回転可能に取り付けられ、主尺体と副尺体のいずれか一方に、月齢を調べようとする日の西暦年のメトン周期太陽年に基づく年次パターン用の目盛を付し、他方に、月齢を調べようとする日の月と日の数の合計値の目盛を付し、かつ、主尺体と副尺体のいずれか一方に、月齢を示す目盛を付し、他方に、月齢の目盛を指す指示部を設け、主尺体に対して副尺体をスライドあるいは回転させて前記年次パターン用の目盛と月日の数の合計値の目盛とを合わせると、前記指示部が該当する年月日の月齢の目盛を指すように構成したものとしてある。
【０００８】
また、前記主尺体または副尺体の余白部分に、前記年次パターンの早見表や、月齢に対応する月の満ち欠けの状態を示す図を表示した構成のものとしてある。
【実施例】
【０００９】
以下、本発明に係る月齢計算器の実施例を添付図面に示す具体例に基づいて詳細に説明する。
主尺体１と副尺体２はいずれも円形の厚紙等の薄板よりなり、主尺体の中心にあけた孔１ａと副尺体の中心にあけた孔２ａに連結具３の軸３ａを貫通せしめてあって、副尺体が軸３ａまわりにフリーに回転できるようになっている。
なお、図中の符号３ｂは連結具のベース、３ｃはストッパを示している。
【００１０】
前記副尺体２は径が主尺体１よりも小なるものとしてあって、副尺体の周囲における主尺体の前面に月齢に対応する月の満ち欠けを示す表示４を表示してある。
【００１１】
また副尺体２にはこの副尺体の中心と同心に形成された円弧状の窓５を設けてあり、この窓から主尺体１の前面に表示された月日目盛６が目視できるようになっており、かつ副尺体２の前面における窓の長手方向に沿って年次パターン目盛７が表示されている。
【００１２】
前記月日目盛６は、月齢を調べようとする年月日の月と日の数字の合計値を等間隔で表示したものであり、その値は１月１日の場合の最小値２から１２月３１日の場合の最大値４３までの４２通りである。
【００１３】
また前記年次パターン目盛７は月相と季節との関係が同一にかえる周期であるメトン周期の１９太陽年に基づいて１９通りあり、本実施例では年次パターン目盛にＡ〜Ｓの１９通りのアルファベットを付してある。
なお、年次パターン目盛に空欄があるのは、年次パターンが１９通りあるのに対して月齢の数が全部で３０あるので、そのずれを修正するためのものである。
【００１４】
ところで、上述した年次パターンは、任意の西暦年に対して一意対応しており、この対応関係を副尺体２の余白部分に表示された早見表たる早見スケール８で簡単に求めることができるようにしてある。
【００１５】
上記年次パターンを求めるための具体的手段は、月齢を求める年月日の西暦年から基準年を引き、１１を掛けて３０で割った余りから求めるのであり（非特許文献１参照）、上述したように任意の西暦年に対して年次パターンは一意対応しているので、予め計算したパターンを表示しておくことが可能であって、スケール以外に対応表を副尺体２前面の余白部分や、主尺体１の背面に表示する場合もある。
【００１６】
しかして、副尺体２には月齢の指示部たる表示窓９を設けてあって、この表示窓の回転軌道下における主尺体１の前面には月齢目盛１０が表示されていて、表示窓から月齢目盛が目視できるようになっている。
【００１７】
上記月齢目盛１０は、上下２段に構成されていて、上段、下段のいずれか一方に１月と２月の月齢（図１では下段）が、他方に３月〜１２月の月齢（図１では上段）がそれぞれ表示されている。これは１月と２月の月齢が他の月とは２日ずれているからである（非特許文献１参照）。
【００１８】
なお、月齢を１〜２８とする場合もあれば１〜３０とする場合もあり、添付図においては月齢を１〜２８とした場合を例に示してある。この場合、月齢を１〜３０とした場合に比して２日ずれが生じるが、図２に示されるように月齢１と２８をそれぞれ２つ重複させて表示させれば月齢１〜２８に対応させることができる。したがって月齢１〜３０に対応させる場合には図２中の月齢目盛１０における１と２８が重複する部分を２９と３０に置き換えればよい。
【００１９】
上述のように構成された本発明の月齢計算器から任意の年月日の月齢を求める手順について説明する。
例えば、２００３年１２月４日の月齢を求める場合、前記早見スケール８で２００３年の年次パターンがＰであることを求め、年次パターン目盛７のＰの位置を確認する。
【００２０】
そして、副尺体２を回転させて年次パターン目盛７のＰと、窓５に現れる前記月日目盛６における１２月４日の月日の合計値である１６とを合わせ、前記表示窓９の上段に、当該年月日の月齢「１０」が現れる。
【００２１】
上述した実施例においては、主尺体１と副尺体２とをともに円形のもので構成し、副尺体を主尺体に対して回転できるようにしてあるが、主尺体と副尺体とを円形以外の他の形状のものとする場合もある。
【００２２】
また、主尺体に対して副尺体をスライドできるように取り付け、副尺体をスライドさせることによって年次パターン目盛と月日目盛とを合わせることができるようにする場合もある。
【００２３】
上述した本発明の月齢計算器によれば、天文学的な知識に基づき、複雑な計算式を用いて月齢を計算する必要がなく、また、従来のように予め計算された月齢が表示されたカレンダーを用いたり、月齢を表示する機能を有する時計を用いたりする必要がなく、いつでも簡単にしかも素早く月齢を知ることができる。
【００２４】
したがって、単に月齢を知るためだけでなく、月の満ち欠けに関する教育の現場において教育効果の向上を図ることもでき、さらには月占いのように月齢に基づく運勢の判断も簡単に行なうことができる。
【００２５】
また、厚紙や合成樹脂材シート等で薄くて軽く、しかも安価に構成することができるので、教育用や月占い用の書籍、雑誌の付録にも採用が容易であり、また、携帯にも便利で屋外観察用にも好適に使用できる。
【図面の簡単な説明】
【００２６】
【図１】本発明に係る計算器の実施例を示す正面図。
【図２】本発明に係る計算器の実施例を示す一部拡大断面図。
【図３】主尺体の正面図。
【符号の説明】
【００２７】
１  主尺体
２  副尺体
３  連結具
４  月の満ち欠けの表示
５  窓
６  月日目盛
７  年次パターン目盛
８  早見スケール
９  月齢表示窓
１０  月齢目盛
【図１】
2005190209.tif 000003
【図２】
2005190209.tif 000004
【図３】
2005190209.tif 000005